(57)【要約】      （修正有）【課題】静止画撮影タイミングが適切であったか否かを現場で容易に確認できる様にする。【解決手段】プロセッサ装置１４は、レリーズ指示がなされた時点でモニタ３８ａに表示中のリアルタイム画像の元データである第一の画像データを静止画ファイル形式でＨＤＤ８８に記録すると共に、その時点の前後数秒間に撮像装置５４により撮像して得られる多数の第二の画像データをそれぞれ静止画ファイル形式でＨＤＤ８８に記録する。プロセッサ装置１４は、第一の画像データに基づく静止画像と、多数の第二の画像データに基づく部分動画像とを、モニタ３８ｂに選択的に切り替え表示する。【選択図】図３
2014050514.tif 000002
【特許請求の範囲】
【請求項１】
撮像装置を内蔵する内視鏡スコープと、
前記撮像装置により撮像して得られる撮像画像信号を処理して画像データを生成する画像処理部と、
前記撮像装置による撮像中に、前記画像データに基づく画像を撮像順にしたがって順次表示する第１表示部と、
前記画像処理部により生成された画像データを記録媒体に選択的に記録する記録制御部と、
前記撮像装置による撮像中に、前記記録媒体に記録された画像データに基づく画像を表示する第２表示部と、
前記第２表示部が表示する画像を制御する制御部と、を備え、
前記記録制御部は、静止画記録を行う指示に応じて、前記指示がなされた時点で前記第１表示部に表示されている画像に対応する第一の画像データを静止画ファイル形式で前記記録媒体に記録し、前記第一の画像データの撮像時点の前後の予め決めた時間範囲において前記撮像装置により撮像して得られた撮像画像信号の前記処理後の多数の第二の画像データを関連付けて前記記録媒体に記録し、
前記制御部は、前記第一の画像データに基づく静止画像と、前記多数の第二の画像データに基づく部分動画像とを選択的に切り換えて前記第２表示部に表示させる電子内視鏡装置。
【請求項２】
請求項１記載の電子内視鏡装置であって、
前記第２表示部に表示する画像を前記静止画像と前記部分動画像とで切り替える操作部を備え、
前記制御部は、前記静止画記録を行う指示に応じて前記静止画像を前記第２表示部に表示させ、この状態で前記操作部に対する操作を検出した場合に、前記第２表示部に表示させる画像を前記静止画像から前記部分動画像に切り換える電子内視鏡装置。
【請求項３】
請求項２記載の電子内視鏡装置であって、
前記第２表示部は、前記操作部としてのタッチパネルを含み、
前記制御部は、前記タッチパネルに対するタッチ操作を検出して、前記第２表示部に表示させる画像を前記静止画像から前記部分動画像に切り換える電子内視鏡装置。
【請求項４】
請求項１〜３のいずれか１項記載の電子内視鏡装置であって、
前記制御部は、前記第２表示部に表示される前記部分動画像のうち、前記第一の画像データと同じタイミングで得られた前記第二の画像データに基づく画像を含む、当該画像の前後所定フレーム分の画像については、他の画像よりも表示切り換え間隔を長くする電子内視鏡装置。
【請求項５】
請求項１〜３のいずれか１項記載の電子内視鏡装置であって、
前記第２表示部に表示する前記部分動画像のフレームレートを、操作部によって入力された値に設定するフレームレート設定部を備える電子内視鏡装置。
【請求項６】
請求項１〜５のいずれか１項記載の電子内視鏡装置であって、
前記記録制御部は、前記第二の画像データを前記第一の画像データと同じファイル形式で前記記録媒体に記録する電子内視鏡装置。
【請求項７】
内視鏡スコープに内蔵される撮像装置により撮像して得られる撮像画像信号を処理して画像データを生成する画像処理ステップと、
前記撮像装置による撮像中に、前記画像データに基づく画像を撮像順にしたがって順次第１表示部に表示させるステップと、
前記画像処理ステップで生成された画像データを記録媒体に選択的に記録する記録制御ステップと、
前記撮像装置による撮像中に、前記記録媒体に記録された画像データに基づく画像を第２表示部に表示させるステップと、
前記第２表示部に表示させる画像を制御する制御ステップと、を備え、
前記記録制御ステップでは、静止画記録を行う指示に応じて、前記指示がなされた時点で前記第１表示部に表示されている画像に対応する第一の画像データを静止画ファイル形式で前記記録媒体に記録し、前記第一の画像データの撮像時点の前後の予め決めた時間範囲において前記撮像装置により撮像して得られた撮像画像信号の前記処理後の多数の第二の画像データを関連付けて前記記録媒体に記録し、
前記制御ステップでは、前記第一の画像データに基づく静止画像と、前記多数の第二の画像データに基づく部分動画像とを選択的に切り換えて前記第２表示部に表示させる撮像画像表示制御方法。
【請求項８】
請求項７記載の撮像画像表示制御方法であって、
前記制御ステップでは、前記静止画記録を行う指示に応じて前記静止画像を前記第２表示部に表示させ、この状態で、前記第２表示部に表示する画像を前記静止画像と前記部分動画像とで切り替える操作部に対する操作を検出した場合に、前記第２表示部に表示させる画像を前記静止画像から前記部分動画像に切り換える電子内視鏡装置。
【請求項９】
請求項７又は８記載の撮像画像表示制御方法の各ステップをコンピュータに実行させるための撮像画像表示制御プログラム。
【発明の詳細な説明】
【技術分野】
【０００１】
本発明は、電子内視鏡装置、撮像画像表示制御方法、撮像画像表示制御プログラムに関する。
【背景技術】
【０００２】
電子内視鏡装置によって逐次取得される画像は、プロセッサによって適宜処理され、モニタ等の表示部にリアルタイムに表示される。そして、電子内視鏡装置のレリーズ操作に応じて、そのレリーズタイミングで撮像された画像が、静止画像として記録される。
【０００３】
下記の特許文献１に記載の従来技術では、リアルタイム画像（動画）と静止画像との関係をその場で内視鏡操作者が分かるように、高解像度のモニタ画面を画面分割する等して、リアルタイム画像と静止画像を同時に表示している。
【０００４】
また、特許文献２に記載の従来技術では、静止画像を用いて患者等に説明する場合に、動画像も存在した方が便利なため、静止画像の撮影タイミング前後の所定時間範囲内の動画像をＭＰＥＧ方式等でデータ圧縮して生成し、その静止画像と関連付けて記録することが行われている。
【先行技術文献】
【特許文献】
【０００５】
【特許文献１】特開２００２―１７６６７号公報
【特許文献２】特開２００５―４４００４号公報
【発明の概要】
【発明が解決しようとする課題】
【０００６】
しかし、特許文献１に記載の従来技術においてモニタに表示される静止画像は、現在表示されているリアルタイム画像に対して過去の画像であり、静止画像の撮影タイミングが適切なタイミングであったか否かを、その場で確認することができない。
【０００７】
また、特許文献２に記載の技術は、内視鏡操作を行っている現場でのモニタ表示に関する技術ではない。このため、施術後に動画像を確認し、静止画像の撮影タイミングがずれていたと分かっても、高精細，高画質の静止画像を得ることができない。
【０００８】
本発明は、上記事情に鑑みてなされたものであり、静止画像が適切なタイミングで記録できたか否かの確認を現場で容易に行うことができる電子内視鏡装置、撮像画像表示制御方法及びプログラムを提供することを目的とする。
【課題を解決するための手段】
【０００９】
本発明の電子内視鏡装置は、撮像装置を内蔵する内視鏡スコープと、上記撮像装置により撮像して得られる撮像画像信号を処理して画像データを生成する画像処理部と、上記撮像装置による撮像中に、上記画像データに基づく画像を撮像順にしたがって順次表示する第１表示部と、上記画像処理部により生成された画像データを記録媒体に選択的に記録する記録制御部と、上記撮像装置による撮像中に、上記記録媒体に記録された画像データに基づく画像を表示する第２表示部と、上記第２表示部が表示する画像を制御する制御部と、を備え、上記記録制御部は、静止画記録を行う指示に応じて、上記指示がなされた時点で上記第１表示部に表示されている画像に対応する第一の画像データを静止画ファイル形式で上記記録媒体に記録し、上記第一の画像データの撮像時点の前後の予め決めた時間範囲において上記撮像装置により撮像して得られた撮像画像信号の上記処理後の多数の第二の画像データを関連付けて上記記録媒体に記録し、上記制御部は、上記第一の画像データに基づく静止画像と、上記多数の第二の画像データに基づく部分動画像とを選択的に切り換えて上記第２表示部に表示させるものである。
【００１０】
本発明の撮像画像表示制御方法は、内視鏡スコープに内蔵される撮像装置により撮像して得られる撮像画像信号を処理して画像データを生成する画像処理ステップと、上記撮像装置による撮像中に、上記画像データに基づく画像を撮像順にしたがって順次第１表示部に表示させるステップと、上記画像処理ステップで生成された画像データを記録媒体に選択的に記録する記録制御ステップと、上記撮像装置による撮像中に、上記記録媒体に記録された画像データに基づく画像を第２表示部に表示させるステップと、上記第２表示部に表示させる画像を制御する制御ステップと、を備え、上記記録制御ステップでは、静止画記録を行う指示に応じて、上記指示がなされた時点で上記第１表示部に表示されている画像に対応する第一の画像データを静止画ファイル形式で上記記録媒体に記録し、上記第一の画像データの撮像時点の前後の予め決めた時間範囲において上記撮像装置により撮像して得られた撮像画像信号の上記処理後の多数の第二の画像データを関連付けて上記記録媒体に記録し、上記制御ステップでは、上記第一の画像データに基づく静止画像と、上記多数の第二の画像データに基づく部分動画像とを選択的に切り換えて上記第２表示部に表示させるものである。
【００１１】
本発明の撮像画像表示制御プログラムは、上記撮像画像表示制御方法の各ステップをコンピュータに実行させるためのプログラムである。
【発明の効果】
【００１２】
本発明によれば、静止画像が適切なタイミングで記録できたか否かの確認を現場で容易に行うことが可能な電子内視鏡装置を提供することができる。
【図面の簡単な説明】
【００１３】
【図１】本発明の一実施形態に係る電子内視鏡装置の全体構成図である。
【図２】図１に示す内視鏡スコープ先端部の斜視図
【図３】図１に示す電子内視鏡装置の機能ブロック構成図
【図４】本発明の一実施形態における静止画像撮影の説明図
【図５】図１に示す電子内視鏡装置の動作を説明するためのフローチャート
【図６】図１に示す電子内視鏡装置の動作の変形例を説明する図
【発明を実施するための形態】
【００１４】
以下、本発明の一実施形態について、図面を参照して説明する。
【００１５】
図１は本発明の一実施形態に係る電子内視鏡装置の全体構成図である。
【００１６】
本実施形態の電子内視鏡装置１０は、内視鏡スコープ１２と、本体装置を構成するプロセッサ装置１４及び光源装置１６とから構成される。
【００１７】
内視鏡スコープ１２は、患者（被検体）の体腔内に挿入される可撓性の挿入部２０と、挿入部２０の基端部分に連設された操作部２２と、プロセッサ装置１４及び光源装置１６に接続されるユニバーサルコード２４とを備えている。
【００１８】
挿入部２０の先端には先端部２６が連設され、先端部２６内に、体腔内撮影用の撮像チップ（撮像装置）５４（図３参照）が内蔵される。
【００１９】
先端部２６の後方には、複数の湾曲駒を連結した湾曲部２８が設けられている。
【００２０】
湾曲部２８は、操作部２２に設けられたアングルノブ３０が操作されたとき、挿入部２０内に挿設されたワイヤが押し／引きされ、上下左右方向に湾曲動作する。これにより、先端部２６が体腔内で所望の方向に向けられる。
【００２１】
アングルノブ３０の近くには、撮像装置５４用のレリーズスイッチ３３が設けられている。内視鏡操作者が静止画像の撮影（記録媒体への記録）を指示したいとき、このレリーズスイッチ３３を押下する。
【００２２】
ユニバーサルコード２４の基端にはコネクタ３６が設けられている。コネクタ３６は、複合タイプのものであり、プロセッサ装置１４に接続される他、光源装置１６にも接続される。
【００２３】
プロセッサ装置１４は、ユニバーサルコード２４内に挿通された図示省略のケーブルを介して内視鏡スコープ１２に給電を行う。また、プロセッサ装置１４は、撮像装置５４の駆動を制御すると共に、撮像装置５４からケーブルを介して伝送された撮像画像信号を受信し、受信した撮像画像信号に各種信号処理（画像処理）を施して画像データに変換する。
【００２４】
プロセッサ装置１４で変換された画像データは、プロセッサ装置１４にケーブル接続されたモニタ３８に内視鏡撮影画像（観察画像）として表示される。
【００２５】
また、プロセッサ装置１４は、コネクタ３６を介して光源装置１６にも電気的に接続され、光源装置１６を含め電子内視鏡装置１０の動作を統括的に制御する。
【００２６】
プロセッサ装置１４には、フットスイッチ３５が接続されている。フットスイッチ３５は、内視鏡操作者の足下に設置され、オン信号（押下信号）やオフ信号（開放信号）がプロセッサ装置１４に指示入力される。
【００２７】
図２は、内視鏡スコープ１２の先端部２６の先端面２６ａを示した外観斜視図である。図２に示すように、先端部２６の先端面２６ａには、観察窓４０と、照明窓４２と、鉗子出口４４と、送気・送水用ノズル４６が設けられている。
【００２８】
観察窓４０は、先端面２６ａの中央且つ片側に偏心して配置されている。照明窓４２は、観察窓４０に関して対称な位置に２個配され、体腔内の被観察部位に光源装置１６からの照明光を照射する。
【００２９】
鉗子出口４４は、挿入部２０内に配設された図示省略の鉗子パイプに接続され、操作部２２に設けられた鉗子口３４（図１参照）に連通している。鉗子口３４には、注射針や高周波メスなどが先端に配された各種処置具が挿通され、各種処置具の先端が鉗子出口４４から体腔内に出される。
【００３０】
送気・送水用ノズル４６は、操作部２２に設けられた送気・送水ボタン３２（図１参照）の操作に応じて、光源装置１６に内蔵された送気・送水装置から供給される洗浄水や空気を、観察窓４０や体腔内に向けて噴射する。
【００３１】
図３は、電子内視鏡装置１０の制御系を示したブロック図である。
【００３２】
図３に示すように、内視鏡スコープ１２の先端部２６には、固体撮像素子（イメージセンサ）５８と、アナログ信号処理回路（ＡＦＥ：アナログフロントエンド）７２と、ＴＧ（タイミングジェネレータ）７８と、ＣＰＵ８０とが設けられている。
【００３３】
ＣＰＵ８０にはＥＥＰＲＯＭ等のメモリ８１が接続されている。このメモリ８１に、内視鏡スコープ１２固有のデータや固体撮像素子５８固有のデータが保存される。例えば、内視鏡スコープ１２のＩＤ番号等が保存される。
【００３４】
ＴＧ７８は、プロセッサ装置１４のＣＰＵ８２と通信を行うＣＰＵ８０の制御に基づき、固体撮像素子５８の駆動パルス（垂直／水平走査パルス、リセットパルス等）とＡＦＥ７２用の同期パルスとを発生する。
【００３５】
固体撮像素子５８は、ＴＧ７８から入力される駆動パルスにより駆動され、対物光学系５０を介して撮像面に結像された光学像を光電変換して撮像画像信号とし、例えば１秒間に３０フレーム分の撮像画像信号を出力する。
【００３６】
ＡＦＥ７２は、相関二重サンプリング（ＣＤＳ）回路と、自動ゲイン回路（ＡＧＣ）と、Ａ／Ｄ変換器とにより構成されている。
【００３７】
ＣＤＳ回路は、固体撮像素子５８から出力される撮像画像信号に対して相関二重サンプリング処理を施し、固体撮像素子５８で生じるリセット雑音及びアンプ雑音の除去を行う。
【００３８】
ＡＧＣは、ＣＤＳ回路によりノイズ除去が行われた撮像画像信号を、ＣＰＵ８０から指定されたゲイン（増幅率）で増幅する。Ａ／Ｄ変換器は、ＡＧＣにより増幅された撮像画像信号を、所定ビット数のデジタル信号に変換して出力する。ＡＦＥ７２でデジタル化されて出力された撮像画像信号（デジタル信号）は、信号線を通してプロセッサ装置１４に入力される。
【００３９】
プロセッサ装置１４は、ＣＰＵ８２と、入力部８３と、画像処理回路（ＤＳＰ）８４と、データ圧縮処理部８５と、表示制御回路８７と、大容量の記憶媒体の一例としてのハードディスク８８に接続されたＨＤＤ制御部８９と、メインメモリ（フレームメモリ）９０に接続されたメモリ制御部９１と、これらを相互接続するバス９２とを備える。
【００４０】
本実施形態では、ハードディスク８８をプロセッサ装置１４に内蔵させたが、外部設置とすることでも良い。
【００４１】
表示制御部８７には図１の第１モニタ３８ａと第２モニタ３８ｂとが接続される。モニタ３８ａ，３８ｂは、画面にタッチパネル機能が付いているものが良いが、無くても良い。
【００４２】
入力部８３には、ＡＦＥ７２から出力されるデジタルの撮像画像信号と、レリーズスイッチ３３の信号と、フットスイッチ３５のオンオフ信号とが入力される。
【００４３】
ＣＰＵ８２は、プロセッサ装置１４内の各部を制御するとともに、電子内視鏡装置１０の全体を統括的に制御する。
【００４４】
ＣＰＵ８２内のＲＯＭ８２ａには、プロセッサ装置１４の動作を制御するための各種プログラムや制御用データ等が予め格納されている。また、ＣＰＵ８２内のＲＡＭ８２ｂには、ＣＰＵ８２により実行されるプログラムやデータなどが一時記憶される。
【００４５】
ＤＳＰ８４は、ＣＰＵ８２の指示に基づき、ＡＦＥ７２から入力された撮像画像信号に対し、色補間，色分離，色バランス調整，ガンマ補正，画像強調処理等の各種画像処理を施し、画像データを生成する。
【００４６】
ＤＳＰ８４で画像処理されフレームメモリ９０に展開された画像データは、表示制御回路８７を通し、モニタ３８ａ，３８ｂに表示される。
【００４７】
光源装置１６は、主光源１００と、主光源駆動回路１０１と、特殊光光源１０２と、特殊光源駆動回路１０３と、ＣＰＵ１０４と、合波部１０５とを備えて構成される。
【００４８】
ＣＰＵ１０４は、プロセッサ装置１４のＣＰＵ８２と通信を行い、主光源駆動回路１０１，特殊光源駆動回路１０３の制御を行う。
【００４９】
主光源１００は白色光を発光し、特殊光光源１０２は、例えば４２０ｎｍを中心とする狭帯域の特殊光を発光する。白色光または特殊光は、合波部１０５を通ってライトガイド１２０の入射端１２０ｂに出射される。
【００５０】
上記のように構成された電子内視鏡装置１０で体腔内を観察する際には、内視鏡スコープ１２と、プロセッサ装置１４と、光源装置１６と、モニタ３８ａ，３８ｂの電源をオンにして、内視鏡スコープ１２の挿入部２０を体腔内に挿入する。
【００５１】
そして、光源装置１６からの照明光で体腔内を照明しながら、固体撮像素子５８により撮像される体腔内の動画像や静止画像をモニタ３８ａ，３８ｂで観察することになる。
【００５２】
固体撮像素子５８により撮像して得られる撮像画像信号は、１秒間３０フレームの時間的に連続する撮像画像信号として入力部８３に取り込まれる。
【００５３】
ＤＳＰ８４は、取り込まれた各フレームの撮像画像信号をメインメモリ９０に一時保存しながら上記の各種画像処理を施して画像データを生成する。そして、表示制御部８７が、生成された画像データに基づく画像をモニタ３８ａ，３８ｂに表示することになる。
【００５４】
図４は、メインメモリ９０上に展開される撮像画像信号の説明図である。
【００５５】
メインメモリ９０上には次々とフレーム順に撮像画像信号が転送される。そして、メインメモリ９０上の撮像画像信号がＤＳＰ８４で画像処理されると共に、表示制御部８７に渡されて表示用画像データに変換され、この表示用画像データに基づく画像がモニタ３８ａにリアルタイム画像として表示される。
【００５６】
メインメモリ９０は、例えば５秒，１５０フレーム分のデータを一時保存できる容量を持つ。図４の♯１〜♯１５０の撮像画像信号が時間順にメインメモリ９０に蓄積され画像処理されたとき、♯１の撮像画像信号を削除して♯１５１の撮像画像信号の転送を受けることになる。
【００５７】
図４の♯１，♯２，…の各撮像画像信号が時間順に画像処理され、処理後の画像データ（以下、♯１，♯２，・・・と呼ぶ）に基づく画像が、順次、第１モニタ３８ａに表示されているとする。
【００５８】
内視鏡操作者は、このモニタ３８ａに表示されているリアルタイム画像を観察し、例えば画像データ♯１５０に基づく画像を見たタイミングで、この画像を静止画像として記録したいと考えた場合、図１のレリーズスイッチ３３を押下する。レリーズスイッチ３３が押下されると、レリーズ指示がＣＰＵ８２に伝達される。
【００５９】
ＣＰＵ８２は、画像データ♯１５０に基づく画像の表示時にレリーズ指示を検出すると、画像データ♯１５０を非圧縮のまま静止画ファイルの形式でハードディスク８８に記録させる。なお、メインメモリ９０にある画像データ♯１５０は、ハードディスク８８に転送されても、メインメモリ９０上に残っている。
【００６０】
そして、ＣＰＵ８２は、ハードディスク８８に記録させた画像データ＃１５０をメインメモリ９０から読み出し、これを表示用画像データに変換させて、画像データ＃１５０に基づく画像を第２モニタ３８ｂに表示させる。これにより、内視鏡操作者は、レリーズ指示に応じて記録された静止画像を、第２モニタ３８ｂにおいて確認することができる。
【００６１】
ＣＰＵ８２は、レリーズ指示を検出すると、レリーズ指示がなされた時点で第１モニタ３８ａに表示中の画像に対応する画像データ（以下、第一の画像データともいう）だけでなく、その時点の前後の予め決めた時間範囲において撮像装置５４により撮像して得られた撮像画像信号の画像処理後の多数の画像データ（以下、第二の画像データともいう）についても、第一の画像データと同じ圧縮率及び同じファイル形式で、互いに関連付けてハードディスク８８に記録させる。
【００６２】
例えば、ＣＰＵ８２は、レリーズ指示を検出すると、画像データ＃１５０の撮像時点の５秒前に撮像して得られた画像データ＃１から、５秒後に撮像して得られた画像データ＃３００までの３００個の第二の画像データを、それぞれ非圧縮のまま、静止画ファイルの形式でハードディスク８８に記録させる。
【００６３】
尚、ハードディスク８８に記録する第一の画像データと第二の画像データは、それぞれ非圧縮ではなく、一旦、圧縮処理部８５において低圧縮のＪＰＥＧ形式の画像データに変換してから記録しても良い。撮り直しをなくすという観点からは、画質劣化の全く無い非圧縮や可逆圧縮の方が好ましい。
【００６４】
レリーズ指示に応じてハードディスク８８に記録された多数の第二の画像データ（＃１〜＃３００）は、ＣＰＵ８２が、操作者の指示があった場合に、動画像（部分動画像）として第２モニタ３８ｂに表示させる。
【００６５】
多数の第二の画像データ（＃１〜＃３００）は、１秒間３０フレームのフレームレートで表示すれば、通常の動画像表示となり、１０秒間表示される。勿論、部分動画像は、第２モニタ３８ｂのタッチパネルや操作部２２の操作によって、巻き戻し再生、早送り再生、一時停止等が可能である。
【００６６】
内視鏡操作者は、第２モニタ３８ｂにおいて、第一の画像データに基づく静止画像と、多数の第二の画像データに基づく部分動画像とを選択的に切り換えて表示させることで、撮像装置５４による撮像期間内の適切なタイミングで静止画像が記録されたことを、内視鏡検査の途中で確認可能となる。
【００６７】
この確認だけであれば、多数の第二の画像データについては、これらを圧縮処理部８５によってＭＰＥＧ形式等の高圧縮動画像データに変換してからハードディスク８８に記録するようにしても良い。
【００６８】
しかし、本実施形態では、レリーズ指示があった時点の前後の３００フレーム分もの画像データを、全て、静止画像データとして、非圧縮または低圧縮でハードディスク８８に記録する。
【００６９】
このため、レリーズスイッチ３３が押下されたタイミングが少しずれていたり、レリーズ指示に応じて記録される第一の画像データに画像ブレが発生していたりしても、その前後のフレーム中に、ジャストタイミング，画像ブレの無い高画質の画像データが含まれる可能性が高くなり、静止画像の撮りなおしが不要となる。
【００７０】
図５は、内視鏡装置１０による、レリーズ指示に応じて記録した第一の画像データに基づく静止画像と多数の第二の画像データに基づく部分動画像との第２モニタ３８ｂへの切り替え表示制御の処理手順を説明するフローチャートである。
【００７１】
図５（ａ）は、第１モニタ３８ａの表示処理であり、撮像装置５７による撮像期間中、リアルタイム画像を常時表示している。
【００７２】
図５（ｂ）は、第２モニタ３８ｂの表示処理手順である。最初の処理ステップＳ１では、ＣＰＵ８２が、レリーズスイッチ３３の押下を待機する。
【００７３】
レリーズスイッチ３３が押下されると、ＣＰＵ８２は、次のステップＳ２で、レリーズスイッチ３３押下のタイミングで第１モニタ３８ａに表示中のフレーム番号♯の画像データを選択し、この画像データを非圧縮のままハードディスク８８に記録させる。また、ＣＰＵ８２は、フレーム番号♯の前後１５０フレーム分の画像データを非圧縮のまま、互いに関連付けてハードディスク８８に記録させる。
【００７４】
次のステップＳ３で、ＣＰＵ８２は、フレーム番号♯の画像データに基づく静止画像を第２モニタ３８ｂに表示させる。
【００７５】
次のステップＳ４で、ＣＰＵ８２は、第２モニタ３８ｂに表示させる画像の種類を切り替える指示があるか否かを判定する。
【００７６】
例えば、第２モニタ３８ｂに設けられたタッチパネルに対するタッチ操作、又は、操作部２２に設けられた再生画像切り替えボタンの押下がなされると、再生画像の種類を切り替える指示がＣＰＵ８２に伝達される。タッチパネルの場合は、例えば、画像表示領域に対して間隔をあけずに連続して行われる２回のタッチ操作によって、再生画像の種類を切り替える指示を入力する構成とすればよい。画像表示領域に対するタッチ操作とする代わりに、モニタ３８ｂにボタンを表示させ、このボタンをタッチすることで指示が入力できるようにしてもよい。
【００７７】
ＣＰＵ８２は、この指示を受けると（ステップＳ４判定でＹＥＳ）、ハードディスク８８に記録したフレーム番号♯の前後１５０フレーム、計３００フレーム分の画像データを部分動画像として第２モニタ３８ｂに表示させる（ステップＳ６）。つまり、ＣＰＵ８２は、３００フレーム分の画像データを所定のフレームレートで第２モニタ３８に順次表示させる。
【００７８】
ＣＰＵ８２は、上記指示がない場合（ステップＳ４判定でＮＯ）は、ステップＳ５においてレリーズスイッチ３３の押下を待機する。
【００７９】
ＣＰＵ８２は、レリーズスイッチ３３の押下があれば（ステップＳ５の判定がＹＥＳ）、再びステップＳ２の処理を行い、レリーズスイッチ３３の押下がなければ（ステップＳ５の判定がＮＯ）、ステップＳ３の処理を継続する。
【００８０】
ステップＳ６において部分動画像の表示を開始した後、再生画像の種類を切り替える指示があると（ステップＳ７の判定がＹＥＳ）、ＣＰＵ８２は、ステップＳ３の処理を行う。
【００８１】
一方、再生画像の種類を切り替える指示がなければ（ステップＳ７の判定がＮＯ）、ＣＰＵ８２は、ステップＳ６にて部分動画像の表示を継続する。
【００８２】
第２モニタ３８ｂにおいて部分動画像が表示されている間は、第２モニタ３８ｂに設けられたタッチパネルの操作や操作部２２の操作によって、部分動画像の再生一時停止指示、早送り及び巻き戻し指示等を行うことができる。
【００８３】
ＣＰＵ８２は、これらの指示を受けると、第２モニタ３８ｂに表示させる部分動画像の再生を一時停止したり、部分動画像の早送り及び巻き戻しを行ったりする。
【００８４】
上述した実施形態では、図５のステップＳ６における部分動画像の表示フレームレートを１秒間３０フレームとして説明した。このフレームレートは固定ではなく、内視鏡操作者が任意に指定することもできる。
【００８５】
プロセッサ装置１４に設けられた操作部、第２モニタ３８ｂのタッチパネル、操作部２２等から内視鏡操作者がフレームレートを入力すると、ＣＰＵ８２が、この入力値を取得し、ステップＳ６にて部分動画像を表示する際のフレームレートを該入力値に設定する。
【００８６】
例えば、１秒間に１枚のフレームレート，２枚のフレームレート等と設定することで、各フレーム画像を第２モニタ３８ｂでじっくりと確認することが可能となる。
【００８７】
このようにすることで、例えば、画像ブレの無い静止画像が含まれるのか、ジャストタイミングの静止画像が含まれているのか等を、第２モニタ３８ｂで確認可能である。
【００８８】
また、各画像をコマ送り表示し、このコマ送りのタイミングを、内視鏡操作者が操作部２２に設けたスイッチ等で指示することも可能である。
【００８９】
この場合、連続する画像はほぼ同じ被写体画像で区別がつきにくい。このため、コマ送り毎に、シャッタ音等の報知音を音声発生部から発生させるのが良い。また、表示画像をズラシながらページめくりの様な表示形態で表示切替を行うのが良い。
【００９０】
また、第２モニタ３８ｂに表示される部分動画像のうち、レリーズ指示に応じて記録した第一の画像データに基づく画像（図４の＃１５０）を含む、当該画像の前後所定フレーム分の画像（例えば＃１４５〜＃１５５の画像）については、他の画像（＃１〜＃１４４及び＃１５６〜＃３００）より、表示切り換え間隔を長くするようにしてもよい。
【００９１】
このようすると、第２モニタ３８ｂに表示される部分動画像は、レリーズタイミングの前後において、フレーム画像の切り換えがゆっくりとなる。このため、レリーズタイミングが近づいていることを操作者に明確に知らせることができる。また、レリーズタイミング付近の画像を操作者がじっくりと確認できるようになる。
【００９２】
上記表示切り換え間隔を長くする画像の数は、第二の画像データの総数よりも小さい値とすればよい。また、この数を内視鏡操作者によって設定できるようにしてもよい。
【００９３】
尚、上述した実施形態では、第１モニタ３８ａ，第２モニタ３８ｂを別モニタとしたがこれに限らない。１台の高精細モニタを画面分割したりして、リアルタイム画像と、第一の画像データに基づく静止画像或いは多数の第二の画像データに基づく部分動画像とを両方同時に表示できる様にしても良い。
【００９４】
本実施形態の内視鏡装置１０は、静止画像の記録を伴わない動画像の記録も行える。
【００９５】
内視鏡操作者が動画像を記録し残したいと考えた場合、足下のフットスイッチ３５を足で踏み押下する。そして、動画像の記録終了と判断したとき、足を上げてフットスイッチ３５を開放する。
【００９６】
次々とメインメモリ９０に取り込まれ次々と消去されるフレーム順の画像データは、リアルタイム画像として第１モニタ３８ａに表示される。
【００９７】
フットスイッチ３５が押下されたタイミングの画像データ（図６に示す例では画像データ♯９）をＣＰＵ８２が検出したとき、ＣＰＵ８２は、画像データ♯９から以後の画像データを、圧縮処理部８５に転送する。
【００９８】
そして、圧縮処理部８５は、転送されてきた画像データを、例えばＭＰＥＧ形式の動画像データに変換し、変換後の動画像データを、ハードディスク８８に記録する。この処理を、フットスイッチ３５のオフ信号が入力されるまで行う。
【００９９】
図６の例では、画像データ♯１２５９に基づく画像が第１モニタ３８ａに表示された時点でフットスイッチ３５がオフされている。
【０１００】
即ち、図６の例では、画像データ♯９〜♯１２５９がＭＰＥＧ方式で動画圧縮され、ハードディスク８８に記録されることになる。
【０１０１】
ここでのデータ圧縮形式は、ＭＰＥＧ方式に限ることなく、他の方式例えばモーションＪＰＥＧでも良い。データ容量削減を優先する場合にはフレーム間圧縮を行うＭＰＥＧ方式を採用するのが良い。
【０１０２】
動画像データを記録している最中、ＣＰＵ８２は、この動画像データに基づく動画像を、第２モニタ３８ｂにもリアルタイムに表示する。
【０１０３】
第１モニタ３８ａにもリアルタイム画像を表示しているため第１モニタ３８ａの表示画像と第２モニタ３８ｂの表示画像は、共にリアルタイム画像となる。
【０１０４】
しかし、第２モニタ３８ｂの表示画像は巻き戻し可能な動画像である。このため、内視鏡操作者の指示操作により、記録済みの５秒前，１０秒前等の動画像を、その場で繰り返し再生可能となる。
【０１０５】
この動画像の記録中に、例えば画像データ♯１５に基づくリアルタイム画像表示のタイミングで、レリーズスイッチ３３が押下されたとする。
【０１０６】
この場合、ＣＰＵ８２は、動画像データの記録と並列に、メインメモリ９０上の画像データ♯１５およびその前後の３００フレームの画像データを静止画像データとして非圧縮でハードディスク８８に記録する。
【０１０７】
そして、ＣＰＵ８２は、第２モニタ３８ｂには、ＭＰＥＧ方式の動画像の表示に替えて、レリーズ指示に応じて記録した３００フレームの画像データに基づく静止画像の連続表示（部分動画像の表示）を優先して行う。
【０１０８】
勿論、第２モニタ３８ｂの画面タッチ操作或いは操作部２２のボタン操作によって、フットスイッチ３５の押下に応じて記録したＭＰＥＧ方式の動画像表示にワンタッチで切換可能である。
【０１０９】
内視鏡装置１０では、リアルタイム画像を観察中に、これより前に記録した動画像データや静止画像データを参照したい場合もある。この場合にも、第２モニタ３８ｂへのタッチ操作等でハードディスク８８から該当する画像データを読み出し、モニタ３８ｂに表示することができるのはいうまでもない。
【０１１０】
以上述べた様に、本明細書には以下の事項が開示されている。
【０１１１】
開示された電子内視鏡装置は、撮像装置を内蔵する内視鏡スコープと、上記撮像装置により撮像して得られる撮像画像信号を処理して画像データを生成する画像処理部と、上記撮像装置による撮像中に、上記画像データに基づく画像を撮像順にしたがって順次表示する第１表示部と、上記画像処理部により生成された画像データを記録媒体に選択的に記録する記録制御部と、上記撮像装置による撮像中に、上記記録媒体に記録された画像データに基づく画像を表示する第２表示部と、上記第２表示部が表示する画像を制御する制御部と、を備え、上記記録制御部は、静止画記録を行う指示に応じて、上記指示がなされた時点で上記第１表示部に表示されている画像に対応する第一の画像データを静止画ファイル形式で上記記録媒体に記録し、上記第一の画像データの撮像時点の前後の予め決めた時間範囲において上記撮像装置により撮像して得られた撮像画像信号の上記処理後の多数の第二の画像データを関連付けて上記記録媒体に記録し、上記制御部は、上記第一の画像データに基づく静止画像と、上記多数の第二の画像データに基づく部分動画像とを選択的に切り換えて上記第２表示部に表示させるものである。
【０１１２】
開示された電子内視鏡装置は、上記第２表示部に表示する画像を上記静止画像と上記部分動画像とで切り替える操作部を備え、上記制御部は、上記静止画記録を行う指示に応じて上記静止画像を上記第２表示部に表示させ、この状態で上記操作部に対する操作を検出した場合に、上記第２表示部に表示させる画像を上記静止画像から上記部分動画像に切り換えるものである。
【０１１３】
開示された電子内視鏡装置は、上記第２表示部は、上記操作部としてのタッチパネルを含み、上記制御部は、上記タッチパネルに対するタッチ操作を検出して、上記第２表示部に表示させる画像を上記静止画像から上記部分動画像に切り換えるものである。
【０１１４】
開示された電子内視鏡装置は、上記制御部は、上記第２表示部に表示される上記部分動画像のうち、上記第一の画像データと同じタイミングで得られた上記第二の画像データに基づく画像を含む、当該画像の前後所定フレーム分の画像については、他の画像よりも表示切り換え間隔を長くするものである。
【０１１５】
開示された電子内視鏡装置は、上記第２表示部に表示する上記部分動画像のフレームレートを、操作部によって入力された値に設定するフレームレート設定部を備えるものである。
【０１１６】
開示された電子内視鏡装置は、上記記録制御部が、上記第二の画像データを上記第一の画像データと同じファイル形式で上記記録媒体に記録するものである。
【０１１７】
開示された撮像画像表示制御方法は、内視鏡スコープに内蔵される撮像装置により撮像して得られる撮像画像信号を処理して画像データを生成する画像処理ステップと、上記撮像装置による撮像中に、上記画像データに基づく画像を撮像順にしたがって順次第１表示部に表示させるステップと、上記画像処理ステップで生成された画像データを記録媒体に選択的に記録する記録制御ステップと、上記撮像装置による撮像中に、上記記録媒体に記録された画像データに基づく画像を第２表示部に表示させるステップと、上記第２表示部に表示させる画像を制御する制御ステップと、を備え、上記記録制御ステップでは、静止画記録を行う指示に応じて、上記指示がなされた時点で上記第１表示部に表示されている画像に対応する第一の画像データを静止画ファイル形式で上記記録媒体に記録し、上記第一の画像データの撮像時点の前後の予め決めた時間範囲において上記撮像装置により撮像して得られた撮像画像信号の上記処理後の多数の第二の画像データを関連付けて上記記録媒体に記録し、上記制御ステップでは、上記第一の画像データに基づく静止画像と、上記多数の第二の画像データに基づく部分動画像とを選択的に切り換えて上記第２表示部に表示させるものである。
【０１１８】
開示された撮像画像表示制御方法は、上記制御ステップでは、上記静止画記録を行う指示に応じて上記静止画像を上記第２表示部に表示させ、この状態で、上記第２表示部に表示する画像を上記静止画像と上記部分動画像とで切り替える操作部に対する操作を検出した場合に、上記第２表示部に表示させる画像を上記静止画像から上記部分動画像に切り換えるものである。
【０１１９】
開示された撮像画像表示制御プログラムは、上記撮像画像表示制御方法の各ステップをコンピュータに実行させるためのプログラムである。
【０１２０】
以上述べた実施形態によれば、静止画像の記録を指示したとき、静止画像記録タイミングを含む前後所定フレーム数の画像に基づく部分動画像と、その静止画像とを、第２表示部に切り替え表示することができる。これにより、内視鏡による施術現場で、静止画記録タイミングが適切なタイミングであったか否かを、第２表示部の部分動画表示で容易に確認可能となる。
【産業上の利用可能性】
【０１２１】
本発明に係る撮像画像表示制御方法等は、静止画像撮影タイミングが適切であるか否かを施術現場で確認できるため、電子内視鏡装置に適用すると有用である。
【符号の説明】
【０１２２】
１０  電子内視鏡装置
１２  内視鏡スコープ
１４  プロセッサ装置
１６  光源装置
３３  レリーズスイッチ（静止画像撮影用）
３５  フットスイッチ（動画像撮影用）
３８ａ  第１モニタ
３８ｂ  第２モニタ（高精細モニタ）
５４  撮像装置
５８  固体撮像素子
８２  ＣＰＵ
８４  ＤＳＰ
８５  圧縮処理部
８７  表示制御部
８８  ハードディスク
９０  メインメモリ
【図１】
2014050514.tif 000003
【図２】
2014050514.tif 000004
【図３】
2014050514.tif 000005
【図４】
2014050514.tif 000006
【図５】
2014050514.tif 000007
【図６】
2014050514.tif 000008